(57)【要約】  サポートする周波数バンドの数が増大しても、部品点数の増加を抑えると共に、セルサーチを規定された時間内で完了するマルチバンド無線機を提供する。マルチバンド無線機（１）において、チューナブル共用器（１３）と、受信専用チューナブルフィルタ（１４）とのうち、アンテナと接続されていない側には、次に切替える予定の受信チャネルが予め設定される。アンテナスイッチ（１５）は、通常送受信モードでは、チューナブル共用器（１３）とアンテナとを接続し、コンプレスモードでは、チューナブル共用器（１３）、又は受信専用チューナブルフィルタ（１４）と、アンテナとの接続を相互に切替える。
2011004525.tif 000002
【特許請求の範囲】
【請求項１】
複数の周波数バンドに対応したマルチバンド無線機であって、
送信信号を生成し、受信信号を処理するＲＦＩＣと、
前記送信信号を増幅する広帯域ＰＡと、
前記広帯域ＰＡが増幅した送信信号をアンテナに向けて出力すると共に、前記アンテナを介して受信した受信信号を前記ＲＦＩＣに出力するチューナブル共用器と、
前記アンテナを介して受信した受信信号を前記ＲＦＩＣに出力する受信専用チューナブルフィルタと、
前記チューナブル共用器、又は前記受信専用チューナブルフィルタと、前記アンテナとの接続を相互に切替えるアンテナスイッチとを備え、
前記チューナブル共用器と、前記受信専用チューナブルフィルタとのうち、前記アンテナと接続されていない側には、次に切替える予定の受信チャネルが予め設定されており、
前記アンテナスイッチは、通常送受信モードでは、前記チューナブル共用器と前記アンテナとを接続し、コンプレスモードでは、前記チューナブル共用器、又は前記受信専用チューナブルフィルタと、前記アンテナとの接続を相互に切替える、マルチバンド無線機。
【請求項２】
前記チューナブル共用器、及び前記受信専用チューナブルフィルタがサポートする周波数レンジを複数に分割し、
前記チューナブル共用器として、前記複数に分割された周波数レンジに対応した複数のチューナブル共用器と、
前記広帯域ＰＡとして、前記複数のチューナブル共用器に対応した複数の広帯域ＰＡと、
前記受信専用チューナブルフィルタとして、前記複数に分割された周波数レンジに対応した複数の受信専用チューナブルフィルタとを備える、請求項１に記載のマルチバンド無線機。
【請求項３】
前記チューナブル共用器、及び前記受信専用チューナブルフィルタがサポートする周波数レンジは、周波数の高低に応じて、複数に分割される、請求項２に記載のマルチバンド無線機。
【請求項４】
前記送信信号を増幅する少なくとも１つのＴＤＭＡ用広帯域ＰＡと、
前記少なくとも１つのＴＤＭＡ用広帯域ＰＡが増幅した送信信号を、前記アンテナに向けて出力する、少なくとも１つのＴＤＭＡ用送信フィルタとをさらに備える、請求項１に記載のマルチバンド無線機。
【発明の詳細な説明】
【技術分野】
【０００１】
本発明は、携帯電話や無線ＬＡＮ等に用いられるマルチバンド無線機に関し、より特定的には、サポートする周波数バンドの数が増大しても、部品点数の増加を抑えると共に、セルサーチを規定された時間内で完了するマルチバンド無線機に関する。
【背景技術】
【０００２】
ＵＭＴＳ（Universal Mobile Telecommunications System）の進化に合わせて、サポートする周波数バンドの数が増大してきている。従来、ＵＭＴＳでマルチバンドをサポートするためには、複数の周波数バンドの数に合わせて、複数の増幅器（ＰＡ）、及び複数の共用器（Ｄｕｐ）を備える必要があった。なお、ＵＭＴＳには、Ｗ−ＣＤＭＡや、ＴＤ−ＣＤＭＡ等を含んでいる。図６は、このような従来のマルチバンド無線機５０の構成を示すブロック図である。図６において、従来のマルチバンド無線機５０は、ＲＦＩＣ５１と、並列接続された複数の増幅器（ＰＡ）を備えた増幅回路５２と、複数の増幅器に対応した複数の共用器（Ｄｕｐ）と、アンテナスイッチ（ＡＮＴ−ＳＷ）５４とを備える。ここで、説明を簡単にするため、図６に示すマルチバンド無線機５０において、増幅器及び共用器の数を２つに減らして簡略化した構成を図７に示す。【０００３】
図７は、図６に示す従来のマルチバンド無線機５０の構成の一部を抜き出して簡略化した図である。図７において、マルチバンド無線機５０は、ＲＦＩＣ５１と、並列接続された２つの増幅器５２１、５２２と、２つの増幅器５２１，５２２に対応した２つの共用器５３１、５３２と、アンテナスイッチ５４とを備える。制御部（図示せず）は、サポートする周波数バンドに合わせて、アンテナスイッチ５４の接続を共用器５３１側か、共用器５３２側かに切替えて、使用する増幅器５２１、５２２、及び共用器５３１，５３２を切替える。しかし、従来のマルチバンド無線機５０には、サポートする周波数バンドの数に合わせて、増幅器及び共用器などの部品点数が増加し、回路規模が増大するという課題があった。【０００４】
そこで、ＵＭＴＳバンドの増大に対して、並列送信回路の本数を削減するために、広帯域ＰＡと、帯域を所望の周波数に切替えるチューナブル共用器とを用いて部品点数の増加を抑えるという取り組みがなされている（例えば、非特許文献１参照）。図８は、非特許文献１に記載の従来のマルチバンド無線機６０の構成を示すブロック図である。図８において、従来のマルチバンド無線機６０は、ＲＦＩＣ６１と、広帯域ＰＡ６２１を備えた増幅回路６２と、チューナブル共用器６３とを備える。このように、従来のマルチバンド無線機６０は、ＵＭＴＳバンドの増大に対して、広帯域ＰＡ６２１と、チューナブル共用器６３とを用いることで、部品点数の増加を抑えていた。
【先行技術文献】
【非特許文献】
【０００５】
【非特許文献１】原田博司、“コグニティブ無線技術”、[online]、2008年2月27日、ユビキタスＩＴＳシンポジウム、［2009年6月19日検索］、インターネット<URL: http://www.itsforum.gr.jp/Public/J3Schedule/P20/3harada.pdf>
【発明の概要】
【発明が解決しようとする課題】
【０００６】
マルチバンド無線機５０は、移動通信時に基地局セル間でハンドオーバを行うために、コンプレスモード（Compressed Mode）という、通常の送受信をある区間止めて、高速で受信周波数を切替えて空きチャネルをサーチする機能（以下、セルサーチと記す）を実行することが必要である。セルサーチは、システムによって規定された時間内に完了する必要があり、例えば、６６６μｓｅｃ程度の短時間内で完了することが求められる。このようなセルサーチを実現するためには、従来のマルチバンド無線機５０は、アンテナスイッチ５４の接続を切替えることで、ＲＦＩＣ５１内の受信モード（アクティブなＲＦブロックや、シンセサイザの周波数設定）を高速に切替えていた。【０００７】
一方、従来のマルチバンド無線機６０は、セルサーチ時には、アンテナスイッチが存在しないため、チューナブル共用器６３の周波数を切替えることで、ＲＦＩＣ６１内の受信モード（アクティブなＲＦブロックや、シンセサイザの周波数設定）を高速に切替える必要があった。しかしながら、単なるアンテナスイッチの切替えとは異なり、チューナブル共用器６３の周波数の切替えは、正確に周波数を合わせ込む必要があるために応答時間が必要であり、セルサーチが規定された時間内に完了しない恐れがあるという課題があった。【０００８】
それ故に、本発明の目的は、上記従来の課題を解決するものであり、サポートする周波数バンドの数が増大しても、部品点数の増加を抑えると共に、セルサーチを規定された時間内で完了するマルチバンド無線機を提供することである。
【課題を解決するための手段】
【０００９】
本発明は、複数の周波数バンドに対応したマルチバンド無線機に向けられている。そして、上記目的を達成するために、本発明のマルチバンド無線機は、送信信号を生成し、受信信号を処理するＲＦＩＣと、送信信号を増幅する広帯域ＰＡと、広帯域ＰＡが増幅した送信信号をアンテナに向けて出力すると共に、アンテナを介して受信した受信信号をＲＦＩＣに出力するチューナブル共用器と、アンテナを介して受信した受信信号をＲＦＩＣに出力する受信専用チューナブルフィルタと、チューナブル共用器、又は受信専用チューナブルフィルタと、アンテナとの接続を相互に切替えるアンテナスイッチとを備える。チューナブル共用器と、受信専用チューナブルフィルタとのうち、アンテナと接続されていない側には、次に切替える予定の受信チャネルが予め設定される。アンテナスイッチは、通常送受信モードでは、チューナブル共用器とアンテナとを接続し、コンプレスモードでは、チューナブル共用器、又は受信専用チューナブルフィルタと、アンテナとの接続を相互に切替える。【００１０】
また、マルチバンド無線機は、チューナブル共用器、及び受信専用チューナブルフィルタがサポートする周波数レンジを複数に分割してもよい。この場合、マルチバンド無線機は、チューナブル共用器として、複数に分割された周波数レンジに対応した複数のチューナブル共用器と、広帯域ＰＡとして、複数のチューナブル共用器に対応した複数の広帯域ＰＡと、受信専用チューナブルフィルタとして、複数に分割された周波数レンジに対応した複数の受信専用チューナブルフィルタとを備える。【００１１】
また、チューナブル共用器、及び受信専用チューナブルフィルタがサポートする周波数レンジは、周波数の高低に応じて、複数に分割することが可能である。【００１２】
また、マルチバンド無線機は、送信信号を増幅する少なくとも１つのＴＤＭＡ用広帯域ＰＡと、少なくとも１つのＴＤＭＡ用広帯域ＰＡが増幅した送信信号を、アンテナに向けて出力する、少なくとも１つのＴＤＭＡ用送信フィルタとをさらに備えてもよい。
【発明の効果】
【００１３】
以上のように、本発明のマルチバンド無線機は、チューナブル共用器と、広帯域ＰＡとを備えることで、サポートする周波数バンドの数が増大しても、部品点数の増加を抑えることができる。また、セルサーチ時に、チューナブル共用器と、受信専用チューナブルフィルタのうち、アンテナスイッチ（すなわち、アンテナ）と接続されていない側には、予め切替える予定の受信チャネルを設定した上で、アンテナスイッチが、チューナブル共用器と、受信専用チューナブルフィルタとの接続を相互に切替える。これによって、セルサーチ時に、所望の受信チャネルに切替えるまでの時間が短縮され、セルサーチを規定された時間内で完了することが可能となる。
【図面の簡単な説明】
【００１４】
【図１】図１は、本発明の第１の実施形態に係るマルチバンド無線機１の構成の一例を示すブロック図である。
【図２】図２は、コンプレスモードにおけるセルサーチの動作の一例を示す図である。
【図３】図３は、本発明の第２の実施形態に係るマルチバンド無線機２の構成の一例を示すブロック図である。
【図４】図４は、本発明の第３の実施形態に係るマルチバンド無線機３ａの構成の一例を示すブロック図である。
【図５】図５は、本発明の第３の実施形態に係るマルチバンド無線機３ｂの構成の一例を示すブロック図である。
【図６】図６は、従来のマルチバンド無線機５０の構成を示すブロック図である。
【図７】図７は、従来のマルチバンド無線機５０の構成を簡略化した図である。
【図８】図８は、従来のマルチバンド無線機６０の構成を示すブロック図である。
【発明を実施するための形態】
【００１５】
（第１の実施形態）
図１は、本発明の第１の実施形態に係るマルチバンド無線機１の構成の一例を示すブロック図である。図１において、マルチバンド無線機１は、ＵＭＴＳをサポートし、ＲＦＩＣ１１と、広帯域ＰＡ１２１から構成される増幅回路１２と、広帯域ＰＡ１２１に対応したチューナブル共用器（Ｄｕｐ）１３と、受信専用チューナブルフィルタ１４と、アンテナスイッチ（ＡＮＴ−ＳＷ）１５とを備えている。
【００１６】
ＲＦＩＣ１１は、送信信号を生成し、受信信号を処理する。増幅回路１２において、広帯域ＰＡ１２１は、ＲＦＩＣ１１が生成した送信信号を増幅する。チューナブル共用器１３には、制御部（図示せず）より、所望の送信チャネル及び受信チャネルが設定される。チューナブル共用器１３は、広帯域ＰＡ１２１が増幅した送信信号をアンテナスイッチ１５に出力すると共に、アンテナスイッチ１５を介して受信した受信信号をＲＦＩＣ１１に出力する。受信専用チューナブルフィルタ１４は、制御部より、所望の受信チャネルが設定され、アンテナスイッチ１５を介して受信した受信信号をＲＦＩＣ１１に出力する。アンテナスイッチ１５は、アンテナ（図示せず）と、チューナブル共用器１３、又は受信専用チューナブルフィルタ１４との接続を切替える。制御部は、ＲＦＩＣ１１内に設けられてもよいし、別途設けられてもよい。
【００１７】
マルチバンド無線機１は、移動通信時に基地局セル間でハンドオーバを行うために、コンプレスモード（Compressed Mode）という、通常の送受信をある区間止めて、高速で受信周波数を切替えて空きチャネルをサーチする機能（すなわち、セルサーチ）が必要である。図２は、コンプレスモードにおけるセルサーチの動作の一例を示す図である。図２において、マルチバンド無線機１は、通常送受信モードでは、送信チャネルＴＸ１、受信チャネルＲＸ１を使用しているものとする。マルチバンド無線機１は、ハンドオーバーに先立ち、コンプレスモードを動作させる。コンプレスモードでは、マルチバンド無線機１は、セルサーチを実行し、受信チャネルをＲＸ２，ＲＸ３，ＲＸ４の順に切替えて、空きチャネルをサーチするものとする。
【００１８】
マルチバンド無線機１は、空きチャネルのサーチが完了すると、コンプレスモードを終了し、通常送受信モードに戻り、送信チャネルＴＸ１、及び受信チャネルＲＸ１を使用する。その後、マルチバンド無線機１は、セルサーチで発見した空きチャネルを用いて、ハンドオーバーを実行する。なお、ハンドオーバー実行時の動作は、本発明の本質ではないので説明を省略する。セルサーチは、システムによって規定された時間内に完了する必要があり、例えば、６６６μｓｅｃ程度の短時間内で完了することが求められる。また、この例では、セルサーチにて、受信チャネルをＲＸ２，ＲＸ３，ＲＸ４の順に切替えているので、１チャネル当たり、２００μｓｅｃ程度の短時間に受信チャネルを切替えて空きチャネルをサーチすることが求められる。なお、サーチする受信チャネルは、上述した数及び順番に限られず任意である。
【００１９】
以下、マルチバンド無線機１のセルサーチ時の動作について、図１及び図２を用いて詳細に説明する。通常送受信モードでは、アンテナスイッチ１５は、チューナブル共用器１３側に接続される。また、チューナブル共用器１３は、送信チャネルＴＸ１、及び受信チャネルＲＸ１に設定されているものとする。
【００２０】
まず、制御部は、セルサーチに先立って、通常送受信モード時に、受信専用チューナブルフィルタ１４を予め受信チャネルＲＸ２に設定しておく。次に、制御部は、セルサーチの開始時に、アンテナスイッチ１５を受信専用チューナブルフィルタ１４側に切替える。これによって、マルチバンド無線機１は、セルサーチ開始後すぐに、受信専用チューナブルフィルタ１４を動作させ、短時間に受信チャネルＲＸ２に切替えることができる。また、この際、制御部は、アンテナスイッチ１５（すなわち、アンテナ）と接続されていない側のチューナブル共用器１３の受信チャネルをＲＸ３に設定しておく。
【００２１】
次に、制御部は、受信チャネルＲＸ２でのサーチが完了すると、アンテナスイッチ１５の接続をチューナブル共用器１３側に切替える。これによって、マルチバンド無線機１は、受信チャネルＲＸ２のサーチ完了後すぐに、チューナブル共用器１３を動作させ、短時間に受信チャネルＲＸ３に切替えることができる。また、この際、制御部は、アンテナスイッチ１５（すなわち、アンテナ）と接続されていない側の受信専用チューナブルフィルタ１４の受信チャネルをＲＸ４に設定しておく。
【００２２】
次に、制御部は、受信チャネルＲＸ３でのサーチが完了すると、アンテナスイッチ１５の接続を受信専用チューナブルフィルタ１４側に切替える。これによって、マルチバンド無線機１は、受信チャネルＲＸ３のサーチ完了後すぐに、受信専用チューナブルフィルタ１４を動作させ、短時間に受信チャネルＲＸ３に切替えることができる。また、この際、制御部は、アンテナスイッチ１５（すなわち、アンテナ）と接続されていない側のチューナブル共用器１３の受信チャネルをＲＸ１に設定しておく。
【００２３】
次に、制御部は、受信チャネルＲＸ４でのサーチが完了すると、コンプレスモードを終了し、アンテナスイッチ１５の接続をチューナブル共用器１３側に切替える。これによって、マルチバンド無線機１は、受信チャネルＲＸ４のサーチ完了後すぐに、チューナブル共用器１３を動作させ、短時間に通常送受信モードに戻ることができる。
【００２４】
以上のように、本発明の第１の実施形態に係るマルチバンド無線機１によれば、チューナブル共用器１３と、広帯域ＰＡ１２１とを備えることで、サポートする周波数バンドの数が増大しても、部品点数の増加を抑えることができる。また、セルサーチ時に、チューナブル共用器１３と、受信専用チューナブルフィルタ１４とのうち、アンテナスイッチ１５（すなわち、アンテナ）と接続されていない側には、予め切替える予定の受信チャネルを設定した上で、アンテナスイッチ１５が、チューナブル共用器１３と、受信専用チューナブルフィルタ１４との接続を相互に切替える。これによって、セルサーチ時に、所望の受信チャネルに切替えるまでの時間が短縮され、セルサーチを規定された時間内で完了することが可能となる。
【００２５】
（第２の実施形態）
第２の実施形態に係るマルチバンド無線機２は、第１の実施形態に係るマルチバンド無線機１と比較して、ＵＭＴＳと、ＴＤＭＡ（Time Division Multiple Access）とを並存させることを特徴とする。ここでは、ＴＤＭＡとして、ＧＳＭ（Global System for Mobile Communications）が並存するものとする。図３は、本発明の第２の実施形態に係るマルチバンド無線機２の構成の一例を示すブロック図である。図３において、マルチバンド無線機２は、第１の実施形態に係るマルチバンド無線機１と比較して、さらに、ＧＳＭ（ＴＤＭＡ）用の送信経路として、ＧＳＭ（ＴＤＭＡ）用広帯域ＰＡ１２２、及びＧＳＭ（ＴＤＭＡ）用送信フィルタ１６を備える。アンテナスイッチ１５は、アンテナと、チューナブル共用器１３、受信専用チューナブルフィルタ１４、又はＧＳＭ用送信フィルタ１６との接続を切替える。ＧＳＭ送信時には、制御部は、アンテナスイッチ１５の接続を切替え、ＧＳＭ用広帯域ＰＡ１２２、及びＧＳＭ用送信フィルタ１６を動作させる。
【００２６】
ＵＭＴＳでは、制御部は、セルサーチに先立って、通常送受信モード時に、受信専用チューナブルフィルタ１４を予め受信チャネルＲＸ２に設定しておく。次に、制御部は、セルサーチの開始時に、アンテナスイッチ１５を受信専用チューナブルフィルタ１４側に切替える。これによって、マルチバンド無線機２は、セルサーチ開始後すぐに、受信専用チューナブルフィルタ１４を動作させ、短時間に受信チャネルＲＸ２に切替えることができる。また、この際、制御部は、アンテナスイッチ１５（すなわち、アンテナ）と接続されていない側のチューナブル共用器１３の受信チャネルをＲＸ３に設定しておく。以下の動作は、第１の実施形態と同様であるので説明を省略する。
【００２７】
以上のように、本発明の第２の実施形態に係るマルチバンド無線機２によれば、第１の実施形態と同様の効果に加え、ＵＭＴＳと、ＧＳＭ等のＴＤＭＡシステムとを共存させることができる。
【００２８】
（第３の実施形態）
第３の実施形態に係るマルチバンド無線機は、第１〜２の実施形態に係るマルチバンド無線機１、２と比較して、チューナブル共用器１３、及び受信専用チューナブルフィルタ１４の周波数レンジを複数に分割することを特徴とする。図４は、本発明の第３の実施形態に係るマルチバンド無線機３ａの構成の一例を示すブロック図である。図４に示すマルチバンド無線機３ａは、第１の実施形態に係るマルチバンド無線機１のチューナブル共用器１３、及び受信専用チューナブルフィルタ１４の周波数レンジを２分割した例を示す。なお、周波数レンジは、２分割に限らず、任意の数に分割できるものとする。
【００２９】
図４において、マルチバンド無線機３ａは、ＲＦＩＣ１１と、第１の広帯域ＰＡ１２１と、第２の広帯域ＰＡ１２３と、第１のチューナブル共用器１３１と、第２のチューナブル共用器１３２と、第１の受信専用チューナブルフィルタ１４１と、第２の受信専用チューナブルフィルタ１４２と、アンテナスイッチ１５とを備えている。ここでは、マルチバンド無線機３ａがサポートする周波数レンジを周波数の高低に応じて２分割し、第１の広帯域ＰＡ１２１と、第１のチューナブル共用器１３１と、第１の受信専用チューナブルフィルタ１４１とが低周波数レンジをカバーするものとする。また、第２の広帯域ＰＡ１２３と、第２のチューナブル共用器１３２と、第２の受信専用チューナブルフィルタ１４２とが高周波数レンジをカバーするものとする。
【００３０】
マルチバンド無線機３ａは、低周波数レンジにおける通常送受信モードでは、送信チャネルＴＸ１、受信チャネルＲＸ１を使用し、コンプレスモードでは、受信チャネルをＲＸ２，ＲＸ３，ＲＸ４の順に切替えて、空きチャネルをサーチするものとする。また、マルチバンド無線機３ａは、高周波数レンジにおける通常送受信モードでは、送信チャネルＴＸ５、受信チャネルＲＸ５を使用し、セルサーチでは、受信チャネルをＲＸ６，ＲＸ７，ＲＸ８の順に切替えるものとする。
【００３１】
なお、マルチモード無線機３ａを低周波数レンジで動作させるか、高周波数レンジで動作させるかは、制御部が、送信チャネル、又は受信チャネルの周波数を所定のしきい値と比較することで判定してもよいし、ルックアップテーブル（ＬＵＴ）等を参照することで判定してもよい。
【００３２】
まず、低周波数レンジ側の動作について説明する。低周波数レンジ側で動作中において、通常送受信モードでは、アンテナスイッチ１５は、第１のチューナブル共用器１３１側に接続される。また、第１のチューナブル共用器１３１は、送信チャネルＴＸ１、受信チャネルＲＸ１に設定されているものとする。制御部は、セルサーチに先立って、通常送受信モード時に、第１の受信専用チューナブルフィルタ１４１を予め受信チャネルＲＸ２に設定しておく。
【００３３】
次に、制御部は、セルサーチの開始時に、アンテナスイッチ１５を第１の受信専用チューナブルフィルタ１４１側に切替える。これによって、マルチバンド無線機３ａは、セルサーチ開始後すぐに、第１の受信専用チューナブルフィルタ１４１を動作させ、短時間に受信チャネルＲＸ２に切替えることができる。また、この際、制御部は、アンテナスイッチ１５（すなわち、アンテナ）と接続されていない側の第１のチューナブル共用器１３１の受信チャネルをＲＸ３に設定しておく。
【００３４】
次に、制御部は、受信チャネルＲＸ２でのサーチが完了すると、アンテナスイッチ１５の接続を第１のチューナブル共用器１３１側に切替える。これによって、マルチバンド無線機３ａは、受信チャネルＲＸ２のサーチ完了後すぐに、第１のチューナブル共用器１３１を動作させ、短時間に受信チャネルＲＸ３に切替えることができる。また、この際、制御部は、アンテナスイッチ１５（すなわち、アンテナ）と接続されていない側の第１の受信専用チューナブルフィルタ１４１の受信チャネルをＲＸ４に設定しておく。
【００３５】
次に、制御部は、受信チャネルＲＸ３でのサーチが完了すると、アンテナスイッチ１５の接続を第１の受信専用チューナブルフィルタ１４１側に切替える。これによって、マルチバンド無線機３ａは、受信チャネルＲＸ３のサーチ完了後すぐに、第１の受信専用チューナブルフィルタ１４１を動作させ、短時間に受信チャネルＲＸ３に切替えることができる。また、この際、制御部は、アンテナスイッチ１５（すなわち、アンテナ）と接続されていない側の第１のチューナブル共用器１３１の受信チャネルをＲＸ１に設定しておく。
【００３６】
次に、制御部は、受信チャネルＲＸ４でのサーチが完了すると、コンプレスモードを終了し、アンテナスイッチ１５の接続を第１のチューナブル共用器１３１側に切替える。これによって、マルチバンド無線機１は、受信チャネルＲＸ４のサーチ完了後すぐに、第１のチューナブル共用器１３１を動作させ、短時間に通常送受信モードに戻ることができる。
【００３７】
次に、高周波数レンジ側の動作について説明する。高周波数レンジ側で動作中において、通常送受信モードでは、アンテナスイッチ１５は、第２のチューナブル共用器１３２側に接続される。また、第２のチューナブル共用器１３２は、送信チャネルＴＸ５、受信チャネルＲＸ５に設定されているものとする。制御部は、セルサーチに先立って、通常送受信モード時に、第２の受信専用チューナブルフィルタ１４２を予め受信チャネルＲＸ６に設定しておく。以降、セルサーチ時には、第２のチューナブル共用器１３２と、第２の受信専用チューナブルフィルタ１４２の受信チャネルをＲＸ７、ＲＸ８に設定し、アンテナスイッチ１５との接続を交互に切替える。この切替え手順は、低周波数レンジ側で説明したものと同様であるので、説明を省略する。
【００３８】
また、第３の実施形態に係るマルチバンド無線機は、第２の実施形態にも適用することが可能である。図５は、本発明の第３の実施形態に係るマルチバンド無線機３ｂの構成の一例を示すブロック図である。図５に示すマルチバンド無線機３ｂは、第２の実施形態に係るマルチバンド無線機２のチューナブル共用器１３、及び受信専用チューナブルフィルタ１４の周波数レンジを２分割した例である。図５において、マルチバンド無線機３ｂは、図４に示すマルチバンド無線機３ａと比較して、さらに、ＧＳＭ用の送信経路として、第１のＧＳＭ用広帯域ＰＡ１２２と、第２のＧＳＭ用広帯域ＰＡ１２４と、第１のＧＳＭ用送信フィルタ１６１と、第２のＧＳＭ用送信フィルタ１６２とを備える。
【００３９】
アンテナスイッチ１５は、アンテナと、第１のチューナブル共用器１３１、第２のチューナブル共用器１３２、第１の受信専用チューナブルフィルタ１４１、第２の受信専用チューナブルフィルタ１４２、第１のＧＳＭ用送信フィルタ１６１、又は第２のＧＳＭ用送信フィルタ１６２との接続を切替える。ＧＳＭ送信時には、制御部は、アンテナスイッチ１５の接続を切替え、第１のＧＳＭ用広帯域ＰＡ１２２、及び第１のＧＳＭ用送信フィルタ１６１を動作させるか、あるいは第２のＧＳＭ用広帯域ＰＡ１２４、及び第２のＧＳＭ用送信フィルタ１６２を動作させる。
【００４０】
ＵＭＴＳでのマルチバンド無線機３ｂの動作については、上述したマルチバンド無線機３ａと同様であるので、説明を省略する。
【００４１】
次に、図５に示すマルチバンド無線機３ｂを用いて、本発明の効果の１つである部品点数の増加を抑えることについて説明する。マルチバンド無線機３ｂは、チューナブル共用器１３１，１３２と、広帯域ＰＡ１２１，１２３とを備えることで、図６に示すマルチバンド無線機５０と比較して、同じ数の周波数バンドをサポートすることが可能である。それにも係わらず、マルチバンド無線機３ｂは、アンテナスイッチ１５のポート数を１０から６に、ＲＦＩＣ１１の受信側ポート数を８組から４組に、増幅回路１２の出力側ポート数を１０から４に、チューナブル共用器１３１，１３２の数を８から２に減少させている。ただし、必要な構成として受信専用チューナブルフィルタ１４１，１４２が増加しているが、全体として見ると、部品点数の増加を抑えることができている。
【００４２】
以上のように、本発明の第３の実施形態に係るマルチバンド無線機３ａ、３ｂによれば、第１〜２の実施形態と比較して、チューナブル共用器、及び受信専用チューナブルフィルタの周波数レンジを複数に分割することで、広帯域な周波数レンジをサポートすることが可能となる。
【産業上の利用可能性】
【００４３】
本発明のマルチバンド無線機は、携帯電話や無線ＬＡＮ等の通信機器等に用いられる。
【符号の説明】
【００４４】
１〜３  マルチバンド無線機
１１    ＲＦＩＣ
１２    増幅回路
１２１，１２３  広帯域ＰＡ
１２２，１２４  ＧＳＭ用広帯域ＰＡ
１３，１３１，１３２    チューナブル共用器
１４，１４１，１４２    受信専用チューナブルフィルタ
１５    アンテナスイッチ
１６，１６１，１６２    ＧＳＭ用送信フィルタ
【図１】
2011004525.tif 000003
【図２】
2011004525.tif 000004
【図３】
2011004525.tif 000005
【図４】
2011004525.tif 000006
【図５】
2011004525.tif 000007
【図６】
2011004525.tif 000008
【図７】
2011004525.tif 000009
【図８】
2011004525.tif 000010
【手続補正書】
【提出日】平成23年12月12日(2011.12.12)
【手続補正１】
【補正対象書類名】明細書
【補正対象項目名】００２２
【補正方法】変更
【補正の内容】
【００２２】
次に、制御部は、受信チャネルＲＸ３でのサーチが完了すると、アンテナスイッチ１５の接続を受信専用チューナブルフィルタ１４側に切替える。これによって、マルチバンド無線機１は、受信チャネルＲＸ３のサーチ完了後すぐに、受信専用チューナブルフィルタ１４を動作させ、短時間に受信チャネルＲＸ４に切替えることができる。また、この際、制御部は、アンテナスイッチ１５（すなわち、アンテナ）と接続されていない側のチューナブル共用器１３の受信チャネルをＲＸ１に設定しておく。
【手続補正２】
【補正対象書類名】明細書
【補正対象項目名】００３１
【補正方法】変更
【補正の内容】
【００３１】
なお、マルチバンド無線機３ａを低周波数レンジで動作させるか、高周波数レンジで動作させるかは、制御部が、送信チャネル、又は受信チャネルの周波数を所定のしきい値と比較することで判定してもよいし、ルックアップテーブル（ＬＵＴ）等を参照することで判定してもよい。
【手続補正３】
【補正対象書類名】明細書
【補正対象項目名】００３５
【補正方法】変更
【補正の内容】
【００３５】
次に、制御部は、受信チャネルＲＸ３でのサーチが完了すると、アンテナスイッチ１５の接続を第１の受信専用チューナブルフィルタ１４１側に切替える。これによって、マルチバンド無線機３ａは、受信チャネルＲＸ３のサーチ完了後すぐに、第１の受信専用チューナブルフィルタ１４１を動作させ、短時間に受信チャネルＲＸ４に切替えることができる。また、この際、制御部は、アンテナスイッチ１５（すなわち、アンテナ）と接続されていない側の第１のチューナブル共用器１３１の受信チャネルをＲＸ１に設定しておく。
【手続補正４】
【補正対象書類名】明細書
【補正対象項目名】００３６
【補正方法】変更
【補正の内容】
【００３６】
次に、制御部は、受信チャネルＲＸ４でのサーチが完了すると、コンプレスモードを終了し、アンテナスイッチ１５の接続を第１のチューナブル共用器１３１側に切替える。これによって、マルチバンド無線機３ａは、受信チャネルＲＸ４のサーチ完了後すぐに、第１のチューナブル共用器１３１を動作させ、短時間に通常送受信モードに戻ることができる。
【国際調査報告】
2011004525.tif 000011
2011004525.tif 000012